(57)【要約】      （修正有） 【課題】身体に伸展運動を行なわせ、血行を促進し、ストレスを解消してリラックス感を与えるリラックス装置を提供する。【解決手段】第１エアバッグ１１を内設した第１リラックス押圧部１０と、第２エアバッグ２１を内設した第２リラックス押圧部２０と、一端が該第１エアバッグ１１に接続して連通するエアパイプ３０と、該エアパイプ３０の他端に接続して連通する第１気体放出手段４１と、該第２エアバッグ２１に接続して連通する第２気体放出手段４２と、に接続する気体注入手段４０と、該気体注入手段４０に電気的に接続する制御回路５０と、該制御回路５０に電気的に接続する制御手段と、を含んでなる。【選択図】図２
0003215350.tif 000002
【実用新案登録請求の範囲】
【請求項１】
第１エアバッグを内設した第１リラックス押圧部と、
第２エアバッグを内設した第２リラックス押圧部と、
一端が該第１エアバッグに接続して連通するエアパイプと、
該エアパイプの他端に接続して連通する第１気体放出手段と、該第２エアバッグに接続して連通する第２気体放出手段と、に接続する気体注入手段と、
該気体注入手段に電気的に接続する制御回路と、
該制御回路に電気的に接続する制御手段と、を含んでなることを特徴とするリラックス装置。
【請求項２】
前記第１リラックス押圧部が、弾性を有する材料から選択される材料によってなる第１表面を具え、該第２リラックス押圧部が弾性を有する材料から選択される材料によってなる第２表面を具え、かつ該第１表面と該第２表面とに凹状部が形成され、
該エアパイプの該気体注入手段に近接した部分を湾曲状に形成し、かつ弾性体に挿設するとともに、別途弾性を有する材料から選択された材料によってなる保護部材を設けて該エアパイプが該保護部材内を通過するように設け、
該保護部材は一端が該第１リラックス押圧部に接続し、かつ他端は該第２リラックス押圧部内を自在に移動できるように該第２リラックス押圧部の底面側に設け、
該気体注入手段が三方向分岐管を介して該第１気体放出管と該第２気体放出管とに連通することを特徴とする請求項１に記載のリラックス装置。
【請求項３】
前記第１リラックス押圧部の両横に第１固定バンドを設け、かつ該第２リラックス押圧部の両横に第２固定バンドを設けることを特徴とする請求項１に記載のリラックス装置。
【考案の詳細な説明】
【技術分野】
【０００１】
この考案は、この考案はリラックス装置に関し、特に人体の３か所の部位に同時に圧接し、かつ上方に押上げることで人体を伸張させ、血行を促し、リラックス感を付与するリラックス装置に関する。
【背景技術】
【０００２】
商工業の急速な発展に伴い、現代社会において人々は、仕事の忙しさの中に長時間身を置くようになり、常に運動する時間もスペースもないという状況にある。このため、疲労、体の張りなどの症状が常に出現し、又は精神上のプレッシャーが生起する。このため、マッサージ器具などを利用し、マッサージ効果を得て、ストレスを解消している。
【０００３】
係る現状に鑑み、様々な健康、保健器具が市販されるようになった。但し、これら市販されている健康、保健器具は、そのほとんどが体積も大きく構造も複雑で、携帯に不便である。しかも操作性に欠け、かつ高価格である。また、人体の二か所の部位、例えば背中の上方と腰部とに同時に圧接して、なおも二か所の部位を上方に押し上げることで身体に伸張運動を行なわせてストレスを解消し、リラックス感をもたらす構造のものは、目下見当たらない。
【考案の概要】
【考案が解決しようとする課題】
【０００４】
そこで、本考案者は、製品に弛まない改良を加える創作理念に基づき、かつ斯業において製品のデザイン、開発に多年携わってきた経験を活かし、鋭意研究を重ね、思惟を巡らし、数えきれないほどの設計と寺家円を重ねて本願装置を考案した。
【０００５】
即ち、本考案は、身体に伸展運動を行なわせ、血行を促進し、ストレスを解消してリラックス感を与えるリラックス装置を提供することを課題とする。
【課題を解決するための手段】
【０００６】
この考案は、第１リラックス押圧部と第２リラックス押圧部とを具え、それぞれのリラックス押圧部が人体の二か所の部位に同時接触し、また該第１リラックス押圧部と該第２リラックス押圧部とが第１エアバッグと第２エアバッグとを具え、それぞれのエアバッグが人体の二か所の部位を上方に押し上げることで、人体を心地よく伸展させ、筋を伸ばす運動を行ない複合的なリラックス効果が得られる。
【０００７】
詳しく述べると、この考案は第１リラックス押圧部と、第２リラックス押圧部と、エアパイプと、気体注入手段と、制御回路と、制御手段と、を含んでなり、該第１リラックス押圧部には第１エアバッグを内設し、該第２リラックス押圧部には第２エアバッグを内設する。該エアパイプは一端が該第１エアバッグに接続して連通する。該於気体注入手段は第１気体放出手段と第２気体放出手段とに接続し、該第１気体放出手段は該エアパイプの他端に接続して連通し、該第２気体放出手段は該第２エアバッグに接続して連通する。該制御回路は該気体注入手段に電気的に接続し、該制御手段は該制御回路に電気的に接続する。
【考案の効果】
【０００８】
この考案の装置は、人体の異なる二か所の部位、例えば背中上部と腰部の二か所の部位を該第１リラックス押圧部と該第２リラックス押圧部で支持し、該気体注入手段によって該第１エアバッグと該第２エアバッグとに気体を注入すると、その作用によって該第１エアバッグが膨張して背中上方の部位を上方に押上げ、頚椎部が支持点となり、頭部、頚椎部、肩が後方に反って肩と背中が伸展し、胸部を広げて筋を伸ばす作用が得られる。また該第２エアバッグ２１も膨張し、上方に腰部を押上げる。よって人体の心地よく伸展運動が得られる。
【０００９】
別途、該制御手段によって該第１エアバッグと該第２エアバッグへの気体の注入、または気体の放出を調整することによって異なる押上げの角度が得られる。即ち、頭部、頚椎部、肩が後方に反って肩と背中が伸展し、胸部を広がる程度の大小を調整することができ、かつ該第２エアバッグが腰部を異なる高さに押し上げることができる。よって、ユーザー個人の要求にマッチさせることができ、血行促進、疲労回復などの効果と身体の保健が得られる。
【図面の簡単な説明】
【００１０】
【図１】この考案によるリラックス装置を示した斜視図である。
【図２】この考案によるリラックス装置の分解図である。
【図３】この考案における第１リラックス押圧部と第２リラックス押圧部の間の距離を調整する動作を示した説明図である。
【図４】この考案における第１リラックス押圧部と第２リラックス押圧部の間の距離を調整する動作を示した他の説明図である。
【図５】この考案におけるエアパイプの直線部の長さを調整する動作を示した説明図である。
【図６】この考案におけるエアパイプの直線部の長さを調整する動作を示した他の説明図である。
【図７】この考案によるリラックス装置の使用態様を示した説明図である。
【図８】この考案によるリラックス装置の使用態様を示した他の説明図である。
【図９】他の実施の形態によるリラックス装置を示した斜視図である。
【図１０】図９に開示するリラックス装置の使用態様示した説明図である。
【図１１】この考案によるリラックス装置の他の使用態様を示した説明図である。
【図１２】この考案によるリラックス装置の他の使用態様を示した別の説明図である。
【図１３】別の実施の形態によるリラックス装置の第１エアバッグと第２エアバッグを示した説明図である。
【図１４】図１３に開示するリラックス装置の使用態様を示した説明図である。
【考案を実施するための形態】
【実施例】
【００１１】
図１、図２、図３に開示するように、第１リラックス押圧部１０と、第２リラックス押圧部２０と、エアパイプ３０と、気体注入手段４０と、制御回路５０と、制御手段６０とを含み、その構造と特徴を以下に詳述する。
【００１２】
第１リラックス押圧部１０には第１エアバッグ１１を内設する。
【００１３】
第２リラックス押圧部２０には第２エアバッグ２１を内設する。
【００１４】
エアパイプ３０は一端が第1エアバッグ１１に接続して連通する。
【００１５】
気体注入手段４０は、第１気体放出手段４１と第２気体放出手段４２とに接続し、第１気体放出手段４１はエアパイプ３０の他端に接続して連通し、第２気体放出手段４２は第２エアバッグ２１に接続して連通する。
【００１６】
制御回路５０は気体注入手段４０に電気的に接続して、気体注入手段４０の第１エアバッグ１１と第２エアバッグ２１とに対する気体の注入、及び、第１気体放出手段４１と第２気体放出手段４２の気体の放出を制御する。
【００１７】
制御手段６０は制御回路５０に電気的に接続して、第１エアバッグ１１と第２エアバッグ２１に対する気体注入と気体放出の程度の調整をユーザーに提供する。
【００１８】
実施例の構造において、第１リラックス押圧部１０は第１表面１２を具え、第２リラックス押圧部２０は第２表面２２を具える。第１表面１２と第２表面２２は凹状部が形成されるとともに、弾性を有する材料から例えばウレタンなどを選択して用いることで、人体工学の要求に適い、人体が心地よく接触できるようになる。
【００１９】
また、実施例の構造において、第１リラックス押圧部１０の底面側に第１支持体１３を設ける。第１支持体１３は底面側にパッド１４を設ける。パッド１４の材料は弾性を有する材料から選択することで、ベース部の安定性と快適性を増進する。
【００２０】
また、実施例の構造において、第２リラックス押圧部２０の底面側に第２支持体２３を設ける。第２支持体２３は上下のカバーによってなり、気体注入手段４０と、第１気体放出手段４１と第２気体放出手段４２と制御回路５０とを第２支持体２３内に設けることで保護を与える作用が得られるとともに、第２エアバッグ２１の気体の充填、放出に干渉しなくなる。
【００２１】
また、実施例の構造において、エアパイプ３０は、気体注入手段４０に近接した部分を湾曲状に形成し、エアパイプ３０の直線部分の長さを調整できるようにする。さらに、エアパイプ３０の湾曲状部を弾性体３１に挿設する。弾性体３１はバネなどから選択し、湾曲状部が破壊されないように保護する構造を形成する。
【００２２】
また、実施例の構造において、エアパイプ３０は保護部材７０内を通過する。保護部材７０の材料は弾性を有する材料から選択する。さらに、保護部材７０は一端が第１リラックス押圧部１０に接続し、かつ他端が第２リラックス押圧部２０内を自在に移動できるように第２リラックス押圧部２０の底面側に設ける。係る構造によってエアパイプ３０を保護し、かつ人体に心地よく接触することができる。
【００２３】
保護部材７０の表面には、被覆部材７１を設ける。被覆部材７１は一端が第１リラックス押圧部１０に接続し、かつ他端が延伸して可撓性部７１１を形成して第２リラックス押圧部２０の底面側に設けられる。可撓性部７１１は、エアパイプ３０の長さの調整による変化に対応して延ばしたり折り畳んで短くしたりすることができる。
【００２４】
また、実施例の構造において、気体注入部材４０は三方向分岐管４３を介して第１気体放出管４１、第２気体放出管４２に連通する。
【００２５】
以上はこの考案の各部材とその組み立て方式を述べたものである。この考案の使用上の特徴と、その効果について以下に述べる。
【００２６】
図３、図４、図５、図６に開示するように、この考案の装置を使用する場合、エアパイプ３０の一端が湾曲状に形成されているため、エアパイプ３０の直線部の長さを調整して変化させることができ、このため第１リラックス押圧部１０を第２リラックス押圧部２０寄りに移動させるか、または第２リラックス押圧部２０から離れる方向に移動させることができる。係る構成もよって第1リラックス押圧部１０と第２リラックス押圧部２０との間の距離を調整する。弾性体３１はエアパイプ３０が湾曲によって破損することを防ぐ。よって、この考案の装置はユーザーに対して人体の異なる二つの部位への押圧を提供することができる。
【００２７】
図２、図７、図８に開示するように、人体の背中上部と腰部の二か所の部位を第１リラックス押圧部１０と第２リラックス押圧部２０で支持し、気体注入手段４０によって第１エアバッグ１１と第２エアバッグ２１とに気体を注入すると、その作用によって第１エアバッグ１１が膨張して背中上方の部位を上方に押上げ、頚椎部が支持点となり、頭部、頚椎部、肩が後方に反って肩と背中が伸展し、胸部を広げて筋を伸ばす作用が得られる。また第２エアバッグ２１も膨張し、上方に腰部を押上げる。よって人体の心地よく伸展運動が得られる。
【００２８】
図面に開示するように、第１エアバッグ１１と第２エアバッグ１２とは、そのうちの一方に気体を注入して高くすると、他方は気体を放出して高度が下がる。
【００２９】
別途、制御手段６０によって第１エアバッグ１１と第２エアバッグ１２とへの気体の注入、または気体の放出を調整することによって異なる押上げの角度が得られる。即ち、頭部、頚椎部、肩が後方に反って肩と背中が伸展し、胸部を広がる程度の大小を調整することができ、かつ第２エアバッグ２１が腰部を異なる高さに押し上げることができる。よって、ユーザー個人の要求にマッチさせることができ、血行促進、疲労回復などの効果と身体の保健が得られる。
【００３０】
図９．図１０に開示するように、実施例の構造において第１リラックス押圧部１０の両横に第１固定バンド１５を設け、第２リラックス押圧部２０の両横に第２固定バンド２４を設ける。第１固定バンド１５と第２固定バンド２４はそれぞれの自由端の部分にオス、メス面ファスナーを設ける。第２リラックス押圧部２０の下側には支持部２５を設ける。
【００３１】
以上述べたように構成することによって、この考案の装置は背もたれを具える椅子に設置することができ、支持部２５によって支持し、かつ第２リラックス押圧部２０を高くして人体の腰部に接触させる。また第１固定ベルト１５、第２固定ベルト２４によって人体の頭部と腰部をそれぞれ第１リラックス押圧部１０と第２リラックス押圧部２０とで安定して支持し、固定することができ、座った姿勢の場合に使用することができる。
【００３２】
図１１、図１２に開示するように、一使用例として人体の腰部と下肢を第１リラックス押圧部１０と第２リラックス押圧部２０とに接触させて使用することもできる。
【００３３】
図１３、図１４に開示するように、他の実施の形態による構造では、第１エアバッグ１１と第２エアバッグ２１との間に圃場エアバッグ１１１と圃場エアバッグ２１１とを設け、それぞれ膨張させて頚椎部と腰部の側面をマッサージする。
【００３４】
以上は、この考案の構造と特徴を説明するために、好ましい実施の形態を述べたに過ぎず、この考案の実施の範囲を限定するものではない。よって、この考案の実用新案登録請求の範囲の記載に基づく様々な設計上の変更などは、いずれもこの考案の実用新案登録請求の範囲に含まれるものとする。
【符号の説明】
【００３５】
１０    第１リラックス押圧部
１１    第１エアバッグ
１１１  補助エアバッグ
１２    第1表面
１３    第１支持体
１４    パッド
１５    第１固定バンド
２０    第２リラックス押圧部
２１    第２エアバッグ
２１１  補助エアバッグ
２２    第２表面
２３    第２支持体
２４    第２固定バンド
２５    支持部
３０    エアパイプ
３１    弾性体
４０    気体注入手段
４１    第１気体放出手段
４２    第２気体放出手段
４３    三方向分岐管
５０    制御回路
６０    制御手段
７０    保護部材
７１    被覆部
７１１  可撓性部
【図１】
0003215350.tif 000003
【図２】
0003215350.tif 000004
【図３】
0003215350.tif 000005
【図４】
0003215350.tif 000006
【図５】
0003215350.tif 000007
【図６】
0003215350.tif 000008
【図７】
0003215350.tif 000009
【図８】
0003215350.tif 000010
【図９】
0003215350.tif 000011
【図１０】
0003215350.tif 000012
【図１１】
0003215350.tif 000013
【図１２】
0003215350.tif 000014
【図１３】
0003215350.tif 000015
【図１４】
0003215350.tif 000016
【手続補正書】
【提出日】平成30年1月9日(2018.1.9)
【手続補正１】
【補正対象書類名】実用新案登録請求の範囲
【補正対象項目名】請求項２
【補正方法】変更
【補正の内容】
【請求項２】
前記第１リラックス押圧部が、弾性を有する材料から選択される材料によってなる第１表面を具え、該第２リラックス押圧部が弾性を有する材料から選択される材料によってなる第２表面を具え、かつ該第１表面と該第２表面とに凹状部が形成され、
該エアパイプの該気体注入手段に近接した部分を湾曲状に形成し、かつ弾性体に挿設するとともに、別途弾性を有する材料から選択された材料によってなる保護部材を設けて該エアパイプが該保護部材内を通過するように設け、
該保護部材は一端が該第１リラックス押圧部に接続し、かつ他端は該第２リラックス押圧部内を自在に移動できるように該第２リラックス押圧部の底面側に設け、
該気体注入手段が三方向分岐管を介して該第１気体放出手段と該第２気体放出手段とに連通することを特徴とする請求項１に記載のリラックス装置。
【手続補正２】
【補正対象書類名】明細書
【補正対象項目名】００２４
【補正方法】変更
【補正の内容】
【００２４】
また、実施例の構造において、気体注入部材４０は三方向分岐管４３を介して第１気体放出手段４１、第２気体放出手段４２に連通する。